(57)【要約】【課題】複数の人物が同じテレビ番組などを視聴していた場合に、突然その場に不適切な映像が流れ気まずい雰囲気となることがある。【解決手段】表示装置は、映像を表示可能な映像表示部と、前記映像表示部の周囲の少なくとも第１の人の生体情報を取得する生体情報取得部と、前記生体情報取得部により取得された前記少なくとも第１の人の生体情報に基づいて、前記映像表示部が表示する映像の少なくとも一部分を所定期間変更する変更部とを備える。【選択図】図３
2012227844.tif 000002
【特許請求の範囲】
【請求項１】
映像を表示可能な映像表示部と、
前記映像表示部の周囲の少なくとも第１の人の生体情報を取得する生体情報取得部と、
前記生体情報取得部により取得された前記少なくとも第１の人の生体情報に基づいて、前記映像表示部が表示する映像の少なくとも一部分を所定期間変更する変更部と、
を備える表示装置。
【請求項２】
前記映像表示部の周囲には前記第１の人と異なる位置にいる第２の人がおり、
前記変更部は、前記第１の人の生体情報と前記第２の人の位置とに基づいて、前記映像の少なくとも一部分を所定期間変更する請求項１記載の表示装置。
【請求項３】
前記映像表示部の周囲には第１の人と異なる位置にいる第２の人がおり、
前記生体情報取得部は前記第２の人の生体情報を取得し、
前記変更部は、前記第１の人と前記第２の人との生体情報に基づいて、前記映像の少なくとも一部分を所定期間変更する請求項１記載の表示装置。
【請求項４】
前記映像表示部の周囲に複数の人がいるときに、前記生体情報取得部が取得した前記複数の人の生体情報に基づいて前記複数の人から前記第１の人を選択する選択部を備える請求項１から３のいずれか一項に記載の表示装置。
【請求項５】
前記映像表示部の周囲に複数の人がいるときに、前記複数の人を撮像可能な撮像部を備え、
前記撮像部の撮像結果に基づいて前記複数の人から前記第１の人を選択する選択部を備える請求項１から４のいずれか一項に記載の表示装置。
【請求項６】
前記生体情報取得部は、前記撮像部によって撮像された画像から抽出された前記第１の人の顔画像から瞬きの回数を取得して、
前記変更部は、前記生体情報取得部により取得された前記第１の人の顔画像における瞬きの回数が閾値よりも大きい場合に、映像の少なくとも一部分を所定期間変更する請求項５に記載の表示装置。
【請求項７】
前記映像表示部の周囲に複数の人がいるときに、前記複数の人の音声を認識する音声認識部を備え、
前記音声認識部の認識結果に基づいて前記複数の人から前記第１の人を選択する選択部を備える請求項１から６のいずれか一項に記載の表示装置。
【請求項８】
前記生体情報取得部は、前記複数の人の音声から音圧レベルを取得して、
前記変更部は、前記生体情報取得部により取得された前記第１の人の音声の音圧レベルが閾値よりも低い時間が予め定められた時間以上継続した場合に、映像の少なくとも一部分を所定期間変更する請求項７に記載の表示装置。
【請求項９】
前記所定期間に表示する映像を記憶する記憶部を備える請求項１から８のいずれか一項に表示装置。
【請求項１０】
前記変更部は、前記所定期間の経過後に前記変更を終了する請求項１から９のいずれか一項に記載の表示装置。
【請求項１１】
前記映像表示部の周囲には第１の人と異なる位置にいる第２の人がおり、
前記第２の人への映像の方向に対応して音声を出力する音声出力部をさらに備え、
前記変更部は、少なくとも一部分を所定期間変更する映像の変更に対応して、前記音声出力部から前記第２の人への音声を変更する請求項１から１０のいずれか１項に記載の表示装置。
【請求項１２】
前記変更部は、前記映像の少なくとも一部分を所定期間変更する場合に、前記第２の人への音声を一時停止し、前記第２の人にヘッドフォンの装着を促す画面を表示する請求項１１に記載の表示装置。
【請求項１３】
前記変更部は、前記第２の人に表示される映像を、所定期間変更する場合に、前記第１の人に表示する映像に対応する音声を一時停止し、前記第１の人へヘッドフォンの装着を促す画面を表示する請求項１１または１２に記載の表示装置。
【請求項１４】
右目用映像と左目用映像と表示する立体映像表示部と、
前記立体映像表示部の周囲の複数の人のうちの少なくとも第１の人の生体情報を取得する生体情報取得部と、
前記生体情報取得部により取得された前記第１の人の生体情報に基づいて、前記右目用映像と前記左目用映像とを互いに異なる平面的な映像に切り替える変更部と
を備える表示装置。
【請求項１５】
前記立体映像表示部は、右目用映像と左目用映像とを時分割で表示しており、
前記複数の人は、前記右目用映像と前記左目用映像とにそれぞれ同期して開閉する右目用シャッタおよび左目用シャッタを有するメガネを装着しており、
前記変更部は、前記第１の人の前記メガネの前記右目用シャッタおよび前記左目用シャッタの両方を、前記右目用映像および前記左目用映像の一方に同期して開閉し、第２の人の前記メガネの前記右目用シャッタおよび前記左目用シャッタの両方を、右目用映像および左目用映像の他方に同期して開閉する請求項１４に記載の表示装置。
【発明の詳細な説明】
【技術分野】
【０００１】
本発明は、表示装置に関する。
【背景技術】
【０００２】
特許文献１には、テレビ電話などを行っているときに気まずさを検出した場合は相手の顔の視線をずらして表示することで気まずさの解消を行う技術が開示されている。
［先行技術文献］
［特許文献］
［特許文献１］特開２０１０−２３９５８３号公報
【発明の概要】
【発明が解決しようとする課題】
【０００３】
しかしながら、上述の技術では、異なる場所にいる人を対象とした気まずさの解消であり、同じ場所にいる複数の人物に対して解決できる手段とはなっていない。従って、複数の人物が映像を見ているときに気まずい雰囲気となったときには、この気まずさを解消できない。
【課題を解決するための手段】
【０００４】
本発明の第１の態様においては、映像を表示可能な映像表示部と、前記映像表示部の周囲の少なくとも第１の人の生体情報を取得する生体情報取得部と、前記生体情報取得部により取得された前記少なくとも第１の人の生体情報に基づいて、前記映像表示部が表示する映像の少なくとも一部分を所定期間変更する変更部と、を備える表示装置を提供する。
【０００５】
本発明の第２の態様においては、右目用映像と左目用映像と表示する立体映像表示部と、前記立体映像表示部の周囲の複数の人のうちの少なくとも第１の人の生体情報を取得する生体情報取得部と、前記生体情報取得部により取得された前記第１の人の生体情報に基づいて、前記右目用映像と前記左目用映像とを互いに異なる平面的な映像に切り替える変更部とを備える表示装置を提供する。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】実施形態による表示装置の全体構成図である。
【図２】映像表示部の一例を示す概略図である。
【図３】表示装置の機能ブロック図である。
【図４】表示装置の映像表示処理のフローチャートである。
【図５】別の実施形態による表示装置の全体構成図である。
【図６】図５の実施形態による表示装置の機能ブロック図である。
【図７】図５の実施形態による動作を説明する概略図である。
【図８】図５の実施形態による動作を説明する概略図である。
【図９】別の実施形態による表示装置の全体構成図である。
【図１０】図９の実施形態による映像表示部の一例を示す概略図である。
【図１１】別の実施形態による表示装置の全体構成図である。
【図１２】図１１の実施形態による映像表示部の一例を示す概略図である。
【図１３】別の実施形態による表示装置の全体構成図である。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、実施形態による表示装置の全体構成図である。図１に示すように、表示装置１０は、映像表示部１２と、第１狭指向性スピーカ１４と、第２狭指向性スピーカ１６と、撮像部の一例である広角カメラ１８と、アンテナ２０とを有する。尚、説明の便宜上、映像表示部１２の周囲には、２人のユーザＵ１と、ユーザＵ１と異なる位置にいるユーザＵ２がいるとする。
【００１０】
映像表示部１２は、例えば、映像を表示可能な液晶表示装置、有機ＥＬ表示装置、プラズマ表示装置である。映像表示部１２は、アンテナ２０を介して受信した、異なる２種の映像を異なる２つの方向へと出力する。
【００１１】
第１狭指向性スピーカ１４及び第２狭指向性スピーカ１６は、映像表示部１２の上部に取り付けられている。第１狭指向性スピーカ１４は、広角カメラ１８を挟み、第２狭指向性スピーカ１６の反対側に配置されている。第１狭指向性スピーカ１４及び第２狭指向性スピーカ１６は、非常に強い指向性を有し、２種類の異なる映像のぞれぞれの方向に対応して、前方の狭い範囲に音声を出力させることができる。これにより、第１狭指向性スピーカ１４及び第２狭指向性スピーカ１６は、各方向に指向性を合わせて音声出力が可能となっている。例えば、第１狭指向性スピーカ１４は、ユーザＵ１に第１音声出力部４４からの音声を提供する一方、ユーザＵ２には第１音声出力部４４からの音声を提供しない。同様に、第２狭指向性スピーカ１６は、ユーザＵ２に第２音声出力部４６からの音声を提供する一方、ユーザＵ１には第２音声出力部４６からの音声を提供しない。この結果、第１狭指向性スピーカ１４及び第２狭指向性スピーカ１６は、例えば視聴させたくない人物の方向には別の音声を流す、あるいは音声を消すと言った処理が可能となっている。第１狭指向性スピーカ１４及び第２狭指向性スピーカ１６は、例えば、超音波を用いたパラメトリックスピーカ等を適用できる。
【００１２】
広角カメラ１８は、映像を切り替えるタイミングを判断するための画像を取得するのに用いられる。広角カメラ１８は、映像表示部１２の上部に取り付けられている。広角カメラ１８は、広角レンズと撮像素子とを有し、映像表示部１２の画像出力方向の画像を広角で撮像する。これにより、広角カメラ１８は、映像表示部１２の周囲に複数の人がいるときに、映像表示部１２の周囲の複数のユーザＵ１、Ｕ２を含む画像を撮像できる。撮像素子から出力された画像信号は不図示の画像処理部により種々の画像処理が施されて画像データが作成され、この画像データが制御部３２に送信される。なお、映像表示部１２に対する第１狭指向性スピーカ１４、第２狭指向性スピーカ１６および広角カメラ１８の位置は既知であるので、後述の制御部３２は、広角カメラ１８の撮像素子がユーザＵ１、Ｕ２を撮像した画素の位置からユーザＵ１、Ｕ２の位置を認識することができる。なお、不図示の駆動装置（ＤＣモータやボイスコイルモータ）により第１狭指向性スピーカ１４及び第２狭指向性スピーカ１６の位置を広角カメラ１８の撮像結果に基づいてユーザＵ１、Ｕ２に向けるようにしてもよい。この場合、不図示の駆動装置は、パン方向（水平方向の首振り）とチルト方向（鉛直方向の首振り）に第１狭指向性スピーカ１４及び第２狭指向性スピーカ１６を駆動することが望ましい。
【００１３】
図２は、映像表示部の一例を示す概略図である。映像表示部１２は、画素毎に別の方向に映像を表示することが可能となっており、その手段としては例えばレンチキュラレンズ方式を用いることができる。図２に示すように、映像表示部１２は、画像生成部２２と、レンチキュラレンズ２４とを有する。画像生成部２２は、上下方向に延びる画素列が、例えば交互に異なる２種の第１映像Ｄ１及び第２映像Ｄ２を生成する第１表示部２６及び第２表示部２８として機能する。そして、レンチキュラレンズ２４は、２種の第１映像Ｄ１及び第２映像Ｄ２をそれぞれ異なる方向へと出力する。これにより、映像表示部１２の前方の異なる位置にいるユーザＵ１とユーザＵ２とが、異なる第１映像Ｄ１及び第２映像Ｄ２を視認できる。尚、映像表示部１２は、パララックスバリアを用いる方法で映像表示を行なってもよい。
【００１４】
図３は、表示装置の機能ブロック図である。図３に示すように、表示装置１０は、種々の処理を実行するＣＰＵを備えた制御部３２と、種々の情報を格納する記憶部３４とを更に備える。
【００１５】
制御部３２は、第１映像出力部４０と、第２映像出力部４２と、第１音声出力部４４と、第２音声出力部４６と、撮像画像取得部４８と、ユーザ特定部５０と、生体情報取得部５２と、選択部５４と、変更部５６と、終了判定部５８とを有する。
【００１６】
第１映像出力部４０は、アンテナ２０を介して受信したＴＶ電波等に基づいて、第１表示部２６に第１映像Ｄ１を表示させる。第１音声出力部４４は、第１映像Ｄ１に対応した第１音声を第１狭指向性スピーカ１４に出力させる。第２映像出力部４２は、アンテナ２０を介して受信したＴＶ電波等に基づいて、第２表示部２８に第２映像Ｄ２を表示させる。第２音声出力部４６は、第２映像Ｄ２に対応した第２音声を第２狭指向性スピーカ１６に出力させる。
【００１７】
撮像画像取得部４８は、広角カメラ１８が撮像した映像表示部１２の周囲の複数のユーザＵ１、Ｕ２を含む画像を取得する。撮像画像取得部４８は、取得した撮像画像データ６２を記憶部３４に格納する。
【００１８】
ユーザ特定部５０は、撮像画像データ６２を解析及び顔認識して、当該画像内の顔画像を取得する。その後、ユーザ特定部５０は、当該画像内の顔画像と、ユーザ登録データ６４とを比較して、それぞれのユーザＵ１、Ｕ２が誰かを特定する。ユーザ登録データ６４は、例えば、事前に親が家族全員の顔を撮像して、各人のユーザＩＤと関連付けて記憶部３４に登録した画像データである。また、ユーザ特定部５０は、撮像画像データ６２を解析してユーザＵ１、Ｕ２の位置を特定する。ユーザ特定部５０は、特定されたユーザＵ１、Ｕ２のユーザＩＤ及びユーザＵ１、Ｕ２の位置を、それぞれ関連付けたユーザデータ６６を記憶部３４に格納する。
【００１９】
生体情報取得部５２は、撮像画像データ６２から複数のユーザＵ１、Ｕ２の瞬きの回数等の生体情報６８を取得して、その生体情報６８を、ユーザＩＤと関連付けて記憶部３４に格納する。例えば、生体情報取得部５２は、広角カメラ１８の撮像画像データから顔認識されて抽出されたそれぞれのユーザＵ１、Ｕ２の顔画像から生体情報６８の一例である単位時間当たりの瞬きの回数を測定する。尚、単位時間は、１秒、数秒、１分等適宜変更してもよく、瞬きの回数の変化率等の他の値であってもよい。
【００２０】
選択部５４は、広角カメラ１８の撮像結果である撮像画像データ６２から取得された複数の生体情報６８に基づいて、複数のユーザＵ１、Ｕ２から一人のユーザを選択する。例えば、選択部５４は、生体情報取得部５２が取得した瞬きの回数の最も多いユーザを選択する。すなわち、選択部５４は生体情報６８の変化がより大きいユーザを選択する。
【００２１】
変更部５６は、生体情報取得部５２により取得された生体情報６８であって、選択部５４に選択されたユーザの生体情報６８に基づいて、映像表示部１２が表示する映像の少なくとも一部分を所定期間（例えば数秒から数分）切り替えて変更する。変更後、変更部５６は、所定期間の経過後に映像の変更を終了する。例えば、変更部５６は、生体情報取得部５２により取得されたユーザＵ１、Ｕ２の顔画像における瞬きの回数が、閾値の一例であって、記憶部３４に格納された生体情報閾値７２よりも大きい場合に、映像の少なくとも一部分を所定期間変更する。これは、一般に緊張状態にある場合、瞬きの回数は増加すると言われているからである。尚、映像の少なくとも一部とは、第１表示部２６または第２表示部２８のいずれかの映像全体であってもよく、第１表示部２６または第２表示部２８のいずれかの映像の一部であってもよい。また、ユーザＵ１、Ｕ２が同じ映像を見ている場合には、その映像の全てを変更してもいいし、ユーザＵ２から見える画像部分を変更してもよい。所定期間に変更して表示する映像は、切替画像データ７０として記憶部３４に記憶されている。また、変更部５６は、ユーザＵ１、Ｕ２の一方の生体情報６８と、ユーザ特定部５０により特定されたユーザＵ１、Ｕ２の他方の位置とに基づいて、映像の少なくとも一部分を所定期間変更する。例えば、ユーザＵ１がユーザＵ２の親である場合に、変更部５６は、ユーザＵ２の位置を認識して、ユーザＵ２の方向へと出力される第２表示部２８の第２映像Ｄ２変更する一方、ユーザＵ１への第１表示部２６の第１映像Ｄ１は変更しない。更に、変更部５６は、少なくとも一部分を所定期間変更する映像の変更に対応して、映像が変更されるユーザへ出力される第１狭指向性スピーカ１４または第２狭指向性スピーカ１６の音声を変更する。
【００２２】
終了判定部５８は、ユーザＵ１、Ｕ２によるスイッチ等の操作により、映像の終了を判定する。
【００２３】
図４は、表示装置の映像表示処理のフローチャートである。図４を参照して、表示装置１０の制御部３２により実行される映像表示処理について説明する。
【００２４】
表示処理では、まず、第１映像出力部４０が、第１表示部２６に第１映像Ｄ１を表示させるとともに、第１音声出力部４４が、第１狭指向性スピーカ１４に第１音声を出力させる。また、第２映像出力部４２が、第２表示部２８に第２映像Ｄ２を表示させとともに、第２音声出力部４６が、第２狭指向性スピーカ１６に第２音声を出力させる。第１映像Ｄ１は、レンチキュラレンズ２４を介して、ユーザＵ１の方向へと出力される。第２映像Ｄ２は、レンチキュラレンズ２４によって、ユーザＵ１とは、異なる方向に位置するユーザＵ２へと出力される（Ｓ１０）。なお、本実施の形態においては、第１映像出力部４０と第２映像出力部４２とから出力される第１映像Ｄ１と第２映像Ｄ２とは同じ画像とし、第１狭指向性スピーカ１４と第２狭指向性スピーカ１６とから出力される第１音声と第２音声とも同じ音声として説明を続ける。また、ユーザＵ１はユーザＵ２の親として説明を続ける。
【００２５】
撮像画像取得部４８は、広角カメラ１８が撮像した映像表示部１２の周囲の撮影画像を取得して、撮像画像データ６２として記憶部３４に格納する（Ｓ１２）。
【００２６】
次に、ユーザ特定部５０が、撮像画像データ６２を解析して各ユーザＵ１、Ｕ２の顔認識をする。ユーザ特定部５０が、ユーザ登録データ６４と比較して、ユーザＵ１及びユーザＵ２を特定してユーザＩＤを付与する。ユーザ特定部５０は、広角カメラ１８の撮像素子の画素の位置情報に基づいてユーザＵ１、Ｕ２の位置を特定して、各ユーザＵ１、Ｕ２のユーザＩＤと関連付けられた位置をユーザデータ６６として記憶部３４に格納する（Ｓ１４）。
【００２７】
次に、生体情報取得部５２が、記憶部３４に格納された撮像画像データ６２に基づいて、映像表示部１２の周囲のユーザＵ１、Ｕ２の生体情報６８を取得する（Ｓ１６）。例えば、生体情報取得部５２は、映像を見て反応した各ユーザＵ１、Ｕ２の撮像画像データ６２から、そのユーザＵ１、Ｕ２の瞬きの回数を抽出して、瞬きの回数を算出する。この瞬きの回数を各ユーザＵ１、Ｕ２のユーザＩＤと対応付けて生体情報６８として格納する。なお、瞬き検出については、例えば特開２０１０−２３９４６７号（米国公開２０１００２４５６１４）に開示されている公知の手法を用いることができる。また、生体情報取得部５２は、記憶部３４に格納された撮像画像データ６２に基づいてユーザＵ１、Ｕ２の頭（顔）や体の移動量を検出して、ユーザＵ１、Ｕ２の集中度やストレス度を取得してもいい。具体的には、ユーザＵ１が第１映像Ｄ１に集中している場合には、頭（顔）や体の移動が少ないのに対して、第１映像Ｄ１に驚いたりした場合にストレスを感じて頭（顔）や体の移動量が大きくなるので、生体情報取得部５２は、撮像画像データ６２に基づいてユーザＵ１、Ｕ２の集中度やストレス度を知ることができる。なお、ユーザＵ１が第１映像Ｄ１に関心を示して手を叩いたり、言葉を発することがある。このような場合に、生体情報取得部５２は、不図示のマイクによりユーザＵ１が発する音を取得して、ユーザＵ１が第１映像Ｄ１に好意的かどうかを知ることができる。また、生体情報取得部５２は、不図示のマイクによりユーザＵ１、Ｕ２の会話が急に途絶えたことにより、気まずい雰囲気と認識するようにしてもよい。
【００２８】
次に、選択部５４が、ユーザＵ１、Ｕ２から生体情報６８の値が最大だったり、その変化率がより大きなユーザを選択する（Ｓ１８）。尚、ここでは、生体情報６８である瞬きの回数が最大のユーザをユーザＵ１とする。
【００２９】
変更部５６は、生体情報６８が生体情報閾値７２未満と判定すると（Ｓ２０：Ｎｏ）、ステップＳ１２に戻る。一方、変更部５６は、瞬きの回数が生体情報閾値７２以上と判定すると（Ｓ２０：Ｙｅｓ）、ユーザＵ１が緊張状態であり、気まずい雰囲気であると判定して、変更部５６は、第２表示部２８の第２映像Ｄ２及び第２狭指向性スピーカ１６の音声を切替画像データ７０により切り替えて変更する（Ｓ２２）。例えば、変更部５６は、図２に示すように、第２映像出力部４２を介して、第２表示部２８に「しばらくお待ちください」等のメッセージを含む切替画像とともに、第２音声出力部４６を介して、第２狭指向性スピーカ１６から出力される音声を停止してもよい。なお、変更部５６は、Ｓ１６で取得したユーザＵ２の集中度が生体情報閾値よりも低い場合に前述の変更を行い、ユーザＵ２の集中度が生体情報閾値よりも高い場合に前述の変更を禁止するようにしてもよい。また、変更部５６は、ユーザＵ１とユーザＵ２との集中度もしくはストレス度を参照して前述の変更を行なうかどうか判断してもいい。
【００３０】
次に、撮像画像取得部４８が、広角カメラ１８が撮像した映像表示部１２の周囲の撮像画像を再度取得して、記憶部３４に撮像画像データ６２として格納する（Ｓ２４）。
【００３１】
次に、生体情報取得部５２が、新たな撮像画像データ６２に基づいて、ユーザＵ１、Ｕ２の生体情報６８を取得して、記憶部３４に格納する（Ｓ２６）。変更部５６は、ステップＳ１８において選択されたユーザＵ１の生体情報６８が生体情報閾値７２未満か否かを判定する（Ｓ２８）。変更部５６は、ユーザＵ１の生体情報６８が生体情報閾値７２以上であると判定すると（Ｓ２８：Ｎｏ）、ステップＳ２４以降の処理を繰り返す。これにより、ユーザＵ１の生体情報６８が緊張状態を維持している所定時間、切り替えられた切替画像の表示が維持される。なお、変更部５６は、画像の切り替えによりユーザＵ２の生体情報が変化した場合（例えばストレス度が増加した場合）に画像の切り替えを中止するようにしてもよい。生体情報取得部５２は、記憶部３４に格納された撮像画像データ６２や不図示のマイクからユーザＵ２のストレス度や集中度を取得することができる。
【００３２】
一方、変更部５６は、ユーザＵ１の生体情報６８が生体情報閾値７２未満と判定すると（Ｓ２８：Ｙｅｓ）、第２映像出力部４２及び第２音声出力部４６を介して、ユーザＵ２の映像及び音声を、アンテナ２０を介して受信しているＴＶ電波等の映像及び音声に戻す（Ｓ３０）。これにより、所定期間経過後、切替画像の変更が終了する。
【００３３】
次に、終了判定部５８が、ユーザＵ１、Ｕ２によるスイッチの操作等によって終了か否かを判定する（Ｓ３２）。終了判定部５８は、終了でないと判定すると（Ｓ３２：Ｎｏ）、ステップＳ１２以降の処理を繰り返す。一方、終了判定部５８が終了と判定すると（Ｓ３２：Ｙｅｓ）、映像表示処理を終了する。
【００３４】
上述したように表示装置１０では、例えば、瞬きの回数等のユーザＵ１の生体情報６８に基づいて、気まずい雰囲気を検出し、視聴者であるユーザＵ１、Ｕ２に合わせて適切に映像を切り替えることができる。これにより、複数のユーザＵ１、Ｕ２が同じテレビ番組などを視聴していた場合に、突然その場に不適切な映像が流れ気まずい雰囲気となることを抑制できる。
【００３５】
次に、上述した実施形態の一部を変更した実施形態について説明する。図５は、別の実施形態による表示装置の全体構成図である。図６は、図５の実施形態による表示装置の機能ブロック図である。図７及び図８は、図５の実施形態による動作を説明する概略図である。
【００３６】
図５に示すように、上述した実施形態の表示装置１０と本実施形態の表示装置１１０との違いは、広角カメラ１８の代わりにステレオマイク１１８が、映像表示部１２に取り付けられている。ステレオマイク１１８は、映像表示部１２の複数のユーザＵ１、Ｕ２がいるときに、複数のユーザＵ１、Ｕ２の音声を取得する。また、ヘッドフォン１１６が、映像表示部１２に取り付けできる。
【００３７】
図６に示すように、表示装置１１０では、制御部１３２が、音声取得部１４８を備える。音声取得部１４８は、ステレオマイク１１８からの音声を取得して、ユーザＵ１、Ｕ２の音声データ１６２として記憶部３４に格納する。
【００３８】
ユーザ特定部５０は、音声認識部の一例であって、映像表示部１２の複数のユーザＵ１、Ｕ２がいるときに、複数のユーザＵ１、Ｕ２のそれぞれの音声を認識する。ユーザ特定部５０は、音声データ１６２とユーザ登録データ６４とを比較して、映像表示部１２の前にいる各ユーザＵ１、Ｕ２を特定する。ユーザ登録データ６４は、例えば、事前に親が家族全員の声を録音して、各人のユーザＩＤと関連付けて記憶部３４に登録した音声データである。音声認識として、例えば声紋認識などを応用してもよい。ユーザ特定部５０は、音声データの左右の音量及び波形の位相から、そのユーザＵ１、Ｕ２のいる方向及び位置を特定して、ユーザＩＤと関連付けてその位置をユーザデータ６６として記憶部３４に格納する。
【００３９】
生体情報取得部５２は、ユーザ特定部５０の認識結果である複数のユーザＵ１、Ｕ２の音声データ１６２から各ユーザＵ１、Ｕ２の音圧レベルを生体情報６８として取得して、記憶部３４に格納する。生体情報取得部５２は、第１狭指向性スピーカ１４及び第２狭指向性スピーカ１６が出力する音声をキャンセルして音圧レベルを決定することが望ましい。
【００４０】
選択部５４は、生体情報取得部５２により取得された音圧レベルに基づいて、複数のユーザＵ１、Ｕ２から一人のユーザを選択する。例えば、選択部５４は、音声の音圧レベルの高いユーザを選択する。尚、ここでは、ユーザＵ１の音圧レベルがユーザＵ２の音圧レベルより高く、選択部５４は、ユーザＵ１を選択する。
【００４１】
変更部５６は、生体情報取得部５２により取得された音圧レベルのうち、選択部５４により選択されたユーザＵ１の音圧レベルが生体情報閾値７２よりも低い場合、映像の一部分を所定期間変更する。尚、ユーザＵ１の音圧レベルが生体情報閾値７２よりも低い時間が、予め定められた時間以上継続した場合に、変更部５６が映像の一部分を所定期間変更してもよい。これは、気まずい場合、誰も発話しなくなることが多いためである。変更部５６は、ステレオマイク１１８で観測される音圧レベルが生体情報閾値７２以下となったときに気まずくなったと判断し、第２映像出力部４２を介して、第２表示部２８の映像を切り替える。
【００４２】
ここで、図７に示すように、変更部５６は、ユーザＵ２への映像を所定期間変更する場合、映像を切り替える前に、第２映像出力部４２を介して、ユーザＵ２へ「ヘッドフォンを装着してください」と言ったヘッドフォンの装着を促すメッセージを含む画面を第２表示部２８に表示する。更に、変更部５６は、ユーザＵ２への音声を一時停止して、視聴させたくない人物に音声が聞こえないことが望ましい。また、変更部５６は、第２表示部２８の第２映像Ｄ２を切り替える際には、第１表示部２６にそれまで表示していた第１映像Ｄ１を一時停止し、図８に示すように、ユーザＵ２がヘッドフォン１１６を装着するタイミングで、第１表示部２６の表示を再開することが望ましい。
【００４３】
尚、変更部５６は、ユーザＵ２に表示される第２映像Ｄ２を所定期間変更する場合に、ユーザＵ１に表示する第１映像Ｄ１に対応する音声を一時停止し、ユーザＵ１へヘッドフォンの装着を促す画面を表示してもよい。この場合、ユーザＵ２への音声は、ユーザＵ２への第２映像Ｄ２が変更されている間、停止または異なる音声となる。
【００４４】
図９は、別の実施形態による表示装置の全体構成図である。図１０は、図９の実施形態による映像表示部の一例を示す概略図である。
【００４５】
図９及び図１０に示すように、本実施形態の表示装置２１０は、例えば、車２００に装備される。表示装置２１０は、カーナビ（＝カーナビゲーションシステム）２２６と、リヤシートで視聴するためのリヤシートモニタ２２８とを有する映像表示部２１２を備える。カーナビ２２６及びリヤシートモニタ２２８は、それぞれ異なる映像を表示する事ができる。各シートには、ウェイトセンサ２１５、２１７が装備されており着座している人物の体重を検出して出力する。そして、音声体重取得部２４８が、体重データ２６３として、記憶部３４に格納する。これにより、制御部２３２のユーザ特定部５０は、ウェイトセンサ２１５、２１７から入力されて記憶部３４に格納された各ユーザＵ１、Ｕ２の体重データ２６３に基づいて、視聴者であるユーザＵ１またはユーザＵ２の属性を特定する。例えばユーザＵ２の体重が軽い場合は、ユーザＵ２の属性が子供であると判断し、映像を表示しないと言った処理が可能となる。また、事前に、いずれかのユーザＵ１、Ｕ２が、ユーザＩＤと体重とを関連付けたユーザ登録データ６４を記憶部３４に格納してもよい。これにより、ユーザ特定部５０は、よりユーザＵ１、Ｕ２を正確に特定できる。尚、制御部２３２は、カーナビ２２６、リヤシートモニタ２２８、及び、車２００のいずれに設けてもよく、分割して、カーナビ２２６及びリヤシートモニタ２２８の両方に一部ずつ設けてもよい。
【００４６】
マイク２１８が、車２００の天井に設けられている。音声体重取得部２４８は、音声データ１６２として、記憶部３４に格納する。マイク２１８から拾う音声により、変更部５６は、気まずさを検出する。車の場合走行ノイズが大きいので、音声取得部１４８は、外部からの音声をキャンセルして音圧レベルを決定することが望ましい。
【００４７】
図１１は、別の実施形態による表示装置の全体構成図である。図１２は、図１１の実施形態による映像表示部の一例を示す概略図である。
【００４８】
図１１及び図１２に示すように、上述した実施形態の表示装置２１０と、本実施形態の表示装置３１０との違いは、ハンドル３０２及び肘掛け３０４に指紋センサ３１５及び指紋センサ３１７を配置し、制御部３３２の音声指紋取得部３４８が指紋データ３６３として記憶部３４に格納する。尚、音声指紋取得部３４８は、マイク２１８を介して取得した音声を音声データ１６２として記憶部３４に格納する。そして、ユーザ特定部５０は、指紋データ３６３から視聴者を特定する。尚、記憶部３４には、事前にユーザＩＤと関連付けて格納された指紋データを含むユーザ登録データ６４が記憶されている。表示装置３１０の場合と比較してより、ユーザ特定部５０が、視聴者であるユーザＵ１、Ｕ２の詳細な特定をできるので、より細かな表示切り替えが可能となる。
【００４９】
図１３は、別の実施形態による表示装置の全体構成図である。図１３に示すように、本実施形態による表示装置４１０は、立体映像表示部４１２と、変更部４５６とを有する。
【００５０】
立体映像表示部４１２は、液晶部４２８を含む画像生成部４２２を有する。制御部４３２の変更部４５６が、周期的に液晶部４２８を切り替えて、時間をずらして偏光方向の異なる２種類の映像を出力する。これにより、立体映像表示部４１２は、偏光方向が互いに異なる右目用映像と、左目用映像とを時分割で表示する。
【００５１】
ユーザＵ１は、右目用映像と左目用映像とにそれぞれ同期して開閉する右目用シャッタ４０２および左目用シャッタ４０３を有するメガネ４０１を装着している。ユーザＵ２も同様に、右目用シャッタ４０６および左目用シャッタ４０７を有するメガネ４０５を装着している。
【００５２】
右目用シャッタ４０２、４０６および左目用シャッタ４０３、４０７の一例は、電圧の印加および非印加状態を切り替えることによって、透過可能な偏光方法を変更する液晶シャッタである。これにより、右目用シャッタ４０２、４０６および左目用シャッタ４０３、４０７は、偏光方向の異なる右目用映像及び左目用映像のいずれかを透過可能する。
【００５３】
生体情報取得部５２は、立体映像表示部４１２の周囲の複数のユーザＵ１、Ｕ２の生体情報６８を取得する。尚、生体情報６８は、上述した瞬きの回数等である。
【００５４】
変更部４５６は、生体情報取得部５２により取得されたユーザＵ１の生体情報６８に基づいて、右目用映像と左目用映像とを互いに異なる平面的な映像に切り替える。また、変更部４５６は、ユーザＵ１のメガネ４０１の右目用シャッタ４０２および左目用シャッタ４０３の両方を、右目用映像および左目用映像の一方に同期して開閉する。更に、変更部４５６は、ユーザＵ２のメガネ４０５の右目用シャッタ４０６および左目用シャッタ４０７の両方を、右目用映像および左目用映像の他方に同期して開閉する。
【００５５】
例えば、ユーザＵ１の生体情報６８が生体情報閾値７２以上となると、ユーザＵ１の右目用シャッタ４０２及び左目用シャッタ４０３の両方を右目用映像と同期させる。これにより、ユーザＵ１は、右目用映像のみを見ることになる。一方、ユーザＵ２の右目用シャッタ４０６及び左目用シャッタ４０７の両方を左目用映像と同期させる。これにより、ユーザＵ２は、左目用映像のみを見ることになる。このため、例えば、ユーザＵ１が親であり、ユーザＵ２が子供である場合、親は特別な操作をすることなく、不適切な映像等を子供が見ることを抑制できる。
【００５６】
尚、いずれの実施例の場合も、映像を切り替えたさいに表示する映像には、例えばＴＶであれば別のチャンネルを表示しても良いし、図２に示す第２映像Ｄ２で記載したようなメッセージを含む注意喚起映像を表示しても良い。
【００５７】
上述した実施形態では、変更部は、複数のユーザのうち、いずれか一人のユーザの生体情報に基づいて、映像の少なくとも一部分を所定期間変更したが、複数のユーザのうち、二人以上のユーザの生体情報に基づいて映像を変更してもよい。例えば、ユーザＵ１の生体情報とユーザＵ２の生体情報とに基づいて、映像の少なくとも一部分を所定期間変更してもよい。また、複数のユーザのそれぞれの生体情報に基づいて、それぞれに対応した画像変更を行ってもよく、ユーザが１人の場合でも上述の映像変更を行なってもよい。
なお、上述の複数の実施形態を適宜組み合わせて実施するようにしてもよい。
【００５８】
上述の実施形態では、生体情報の一例として、瞬きの回数を上げたが、生体情報は、体温、発汗、脈拍数、心拍数等であってもよい。例えば心拍数であれば、ＬＥＤによりユーザの手に向けて照射光を照射し、ユーザの手から反射した光を受光することにより心拍数を検出することができ、生体情報取得部５２はこの検出結果を取得すればいい。このような生体情報は、ユーザの腕時計、指輪、イヤリングなどのユーザの体に接触する部分に設けることが可能であり、腕時計型の生体センサは例えば特開２００５−２７０５４３（米国特許第７５３８８９０号）に開示されている。なお、生体情報取得部５２は、前述の広角カメラ１８によりユーザとは非接触で検出された瞬きの回数と、体温、発汗、脈拍、心拍数の少なくとも１つとを組み合わせてユーザの生体情報を取得してもいい。
また、広角カメラ１８に代えて複数のカメラを設けてユーザを撮像するようにしてもよい。
【００５９】
上述の実施形態では、生体情報が生体情報閾値以上になって、画像を変更した後、生体情報閾値未満に戻ると、画像を元のＴＶ電波等の映像に戻したが、これに限定されるものではない。例えば、大人用コンテンツと子供用コンテンツとを用意する。ここで、子供用コンテンツは、不適切な画像を削減しつつ、大人用コンテンツのストーリを含むとする。この場合、最初は大人用コンテンツを２以上の表示部に表示するが、親であるユーザの生体情報が生体情報閾値以上になると、ユーザ特定部により子供と特定されたユーザには子供用コンテンツを提供する。そして、親であるユーザの生体情報が生体情報閾値未満となっても、子供には子供用コンテンツを継続して表示してもよい。これにより、子供であるユーザは、不適切な画像を見ることなく、ストーリを楽しむことができる。
【００６０】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００６１】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００６２】
１０  表示装置
１２  映像表示部
１４  第１狭指向性スピーカ
１６  第２狭指向性スピーカ
１８  広角カメラ
２０  アンテナ
２２  画像生成部
２４  レンチキュラレンズ
２６  第１表示部
２８  第２表示部
３２  制御部
３４  記憶部
４０  第１映像出力部
４２  第２映像出力部
４４  第１音声出力部
４６  第２音声出力部
４８  撮像画像取得部
５０  ユーザ特定部
５２  生体情報取得部
５４  選択部
５６  変更部
５８  終了判定部
６２  撮像画像データ
６４  ユーザ登録データ
６６  ユーザデータ
６８  生体情報
７０  切替画像データ
７２  生体情報閾値
【図１】
2012227844.tif 000003
【図２】
2012227844.tif 000004
【図３】
2012227844.tif 000005
【図４】
2012227844.tif 000006
【図５】
2012227844.tif 000007
【図６】
2012227844.tif 000008
【図７】
2012227844.tif 000009
【図８】
2012227844.tif 000010
【図９】
2012227844.tif 000011
【図１０】
2012227844.tif 000012
【図１１】
2012227844.tif 000013
【図１２】
2012227844.tif 000014
【図１３】
2012227844.tif 000015